(57)【特許請求の範囲】
【請求項１】
光軸の方向に移動する光学ユニットと、
前記光学ユニットを前記光軸の方向に移動する駆動機構と、
前記光軸の回りの互いに異なる２つの位置において前記光学ユニットに対して第１の力と第２の力とをそれぞれ加える付勢手段と、
を有し、
前記第１の力の前記光軸の方向の成分と、前記第２の力の前記光軸の方向の成分とが互いに逆向きであり、
前記光軸が水平となる状態において、前記光学ユニットが前記駆動機構と係合する係合部の中心を通り前記光軸に垂直な平面と光軸との交点の位置と、前記光学ユニットの重心の位置とにより発生するモーメントとは同じ方向のモーメントを発生させるように、前記付勢手段は、前記光学ユニットに対して前記第１の力と前記第２の力とを加える、
ことを特徴とするレンズ装置。
【請求項２】
前記光学ユニットの前記光軸の方向の位置によらず、前記第１の力の前記光軸の方向の成分の向きと、前記第２の力の前記光軸の方向の成分の向きとが一定であることを特徴とする請求項１に記載のレンズ装置。
【請求項３】
前記第１の力を加える位置と、前記第２の力を加える位置とは、前記光軸を挟んで反対側にあることを特徴とする請求項１又は２に記載のレンズ装置。
【請求項４】
前記第１の力は、第１の弾性部材を圧縮することで得られる力であり、前記第２の力は、第２の弾性部材を引張することで得られる力であることを特徴とする請求項１乃至３のいずれか１項に記載のレンズ装置。
【請求項５】
前記光学ユニットは、ズーミング或いはフォーカシングのために移動するように構成されていることを特徴とする請求項１乃至４のいずれか１項に記載のレンズ装置。
【請求項６】
前記光学ユニットは、２つの光学ユニットを含み、
前記付勢手段は、前記２つの光学ユニットの間で該２つの光学ユニットに接続された圧縮弾性部材と引張弾性部材とを含む、
ことを特徴とする請求項１に記載のレンズ装置。
【請求項７】
前記２つの光学ユニットは、互いに隣接していない２つの光学ユニットであることを特徴とする請求項６に記載のレンズ装置。
【請求項８】
前記付勢手段は、圧縮バネと引張バネとを含むことを特徴とする請求項４に記載のレンズ装置。
【請求項９】
前記駆動機構は、前記光軸の方向に延在する直進溝を有する固定鏡筒と、前記固定鏡筒に対して前記光軸の回りに回転可能であり、回転により前記光学ユニットの位置を決めるカム溝を有するカム部材とを含むことを特徴とする請求項１に記載のレンズ装置。
【請求項１０】
前記光学ユニットは、移動鏡筒と、前記移動鏡筒の前記光軸の回りの３つの位置に配置され、前記直進溝と前記カム溝とに係合するカムフォロワとを含むことを特徴とする請求項９に記載のレンズ装置。
【請求項１１】
重力の方向および前記状態において、前記光学ユニットに対して第１の力が加えられる位置と、前記光学ユニットに対して第２の力が加えられる位置とは、前記光軸に関して互いに反対の側にあることを特徴とする請求項１に記載のレンズ装置。
【請求項１２】
重力の方向および前記状態において、前記光学ユニットに対して第１の力が加えられる位置は、前記光軸よりも上側にあり、前記光学ユニットに対して第２の力が加えられる位置は、前記光軸よりも下側にあることを特徴とする請求項１に記載のレンズ装置。
【請求項１３】
請求項１乃至１２のうちいずれか１項に記載のレンズ装置と、
前記レンズ装置からの光を受光する撮像素子と、
を有することを特徴とする撮像装置。
【発明の詳細な説明】
【技術分野】
【０００１】
本発明は、レンズ装置のレンズの駆動機構に関し、特に複数の光学要素の相対的な駆動によって焦点距離、又は、結像位置を変化させるレンズ装置及びそれを有する撮像装置に関するものである。
【背景技術】
【０００２】
従来、レンズを支持するレンズ支持枠や光量を調整する絞り装置等の光学要素をカム機構により光軸方向へ相対的に移動させてズームやフォーカス、光量調整を行うレンズ装置が知られている。カム機構は、一般的に移動筒の内周面にカム溝を形成し、このカム溝に係合するカムピンをレンズ支持枠に取り付ける。そして、移動筒を回転させることにより、レンズ支持枠をカム溝に沿って移動筒内で前後移動させる。しかし、カム溝とカムピンとの間には遊びがあるため、移動筒の回転方向によりレンズ支持枠の倒れ方（方向、角度）が変化してしまう。そのため、特に周辺解像度が高い周波数を要求されるレンズ装置では、移動筒の回転方向の反転動作によらず、レンズ支持枠を移動方向の一定の方向に付勢して倒れを維持させる構造の要求が高くなっている。反転時のレンズ支持枠の倒れを維持する構造としては以下が開示されている。
【０００３】
特許文献１では、二種類のズームレンズ群の間に複数のバネ部材を設け、各ズームレンズ群に備えられたカムピンに加わる付勢力を均一にし、カム溝とカムピンのガタを抑制することで、レンズの倒れを抑制する構造が開示されている。
【先行技術文献】
【特許文献】
【０００４】
【特許文献１】特開平１１−３２６７３４号公報
【発明の概要】
【発明が解決しようとする課題】
【０００５】
重いレンズに対して、反転動作時にレンズ支持枠の倒れの方向を維持するためには、バネ部材による付勢力を大きくする必要がある。この方法では、付勢力増加に伴い、摺動時にカムピンとカム溝で発生する動摩擦力は大きくなる。つまり、移動筒を光軸方向に移動させるためにレンズ鏡筒回りの操作リングを回動させる際に必要なトルクは大きくなってしまうという問題があった。
【０００６】
本発明の目的は、例えば、光学ユニットを常に一定の方向に倒れた姿勢とするのに有利なレンズ装置を提供することである。
【課題を解決するための手段】
【０００７】
上記目的を達成するために、本発明のレンズ装置は、光軸の方向に移動する光学ユニットと、前記光学ユニットを前記光軸の方向に移動する駆動機構と、前記光軸の回りの互いに異なる２つの位置において前記光学ユニットに対して第１の力と第２の力とをそれぞれ加える付勢手段と、を有し、前記第１の力の前記光軸の方向の成分と、前記第２の力の前記光軸の方向の成分とが互いに逆向きであり、前記光軸が水平となる状態において、前記光学ユニットが前記駆動機構と係合する係合部の中心を通り前記光軸に垂直な平面と光軸との交点の位置と、前記光学ユニットの重心の位置とにより発生するモーメントとは同じ方向のモーメントを発生させるように、前記付勢手段は、前記光学ユニットに対して前記第１の力と前記第２の力とを加える、ことを特徴とする。
【発明の効果】
【０００８】
本発明によれば、例えば、光学ユニットを常に一定の方向に倒れた姿勢とするのに有利なレンズ装置を提供することができる。
【図面の簡単な説明】
【０００９】
【図１】ズームレンズ系全体の構成を示す図
【図２】本発明の実施例１におけるレンズ倒れ維持構造の詳細図
【図３】本発明の実施例１におけるレンズ倒れ維持構造のＸ−Ｘ断面図
【図４】本発明の実施例２におけるレンズ倒れ維持構造の詳細図
【図５】本発明の実施例３におけるレンズ倒れ維持構造の詳細図
【発明を実施するための形態】
【００１０】
以下に、本発明の好ましい実施の形態を添付の図面に基づいて詳細に説明する。
【実施例１】
【００１１】
図１はズームレンズ系全体の構成を示す図、図３は本発明の実施例１におけるレンズ倒れ維持構造のＸ−Ｘ断面図である。
【００１２】
図１を参照して、本実施例のズームレンズ系全体の構成について説明する。レンズ装置１はフォーカス操作環２ａを回動することで、回転角に応じた位置に不図示の光学移動群が光軸Ａ方向に移動しフォーカス調整がなされる。ズーム操作環２ｂを回動することで、回転角に応じた位置に不図示の光学移動群が光軸Ａ方向に移動しズーム調整がなされる。また、アイリス操作環２ｃを回動することで、回転角に応じた位置に絞り径が変化し光量を調整できる構造となっている。また、フランジバック操作環３または、マクロ操作環４を回動させることにより、不図示の光学移動群が光軸Ａ方向に移動し、レンズ装置に接続されるカメラ装置２０の撮像素子２１までの合焦距離を調整する構造となっている。本発明のレンズ装置１と、レンズ装置からの被写体光を受光する撮像素子２１を有するカメラ装置２０とで、撮像装置を構成する。
以上が、ズームレンズ系全体の構成である。
【００１３】
次に、図２、図３を参照して、レンズ装置１の内部構造であるカム機構部５（駆動機構）について説明する。カム機構部５は、光軸方向に延在する直進溝７ａを有するレンズ鏡胴７（固定鏡筒）と、カム溝８ａ、８ｂ、８ｃを有する移動筒８（カム部材）と、カムピン９ａ、９ｂ、９ｃ（カムフォロワ）を利用するカム構造を具備する。ここで、光学移動群６ａ、６ｂ、６ｃは、レンズ群１０ａ、１０ｂ、１０ｃと、該レンズ群を支持するレンズ支持枠１１ａ、１１ｂ、１１ｃ（移動鏡筒）とからなる。レンズ鏡胴７に対して光軸回りで回転可能な移動筒８を回転させることにより、レンズ群１０ａ、１０ｂ、１０ｃの光軸Ａ方向の位置決めを行う。レンズ支持枠１１ａ、１１ｂ、１１ｃの光軸Ａ周りに設けられたカムピン９ａ、９ｂ、９ｃは、移動筒８のカム溝８ａ、８ｂ、８ｃ及びレンズ鏡胴７の直進溝７ａに係合する。移動筒８とレンズ鏡胴７が相対的に回転すると、直進溝７ａとカムピン９ａ、９ｂ、９ｃとの係合によって、レンズ支持枠１１ａ、１１ｂ、１１ｃはレンズ鏡胴７に対して回転せず、カム溝８ａ、８ｂ、８ｃの形状に従って光軸方向に移動する。ここで、カムピン９ａ、９ｂ、９ｃ、カム溝８ａ、８ｂ、８ｃ、直進溝７ａは光軸Ａ周りで略等分割した３か所に配設することで、光学移動群６ａ、６ｂ、６ｃの姿勢を保持している。
以上が、カム機構部５の構成である。
【００１４】
次に、カム機構部５に設けたレンズ倒れ維持構造の構成について、図２を用いて以下に説明する。レンズ支持枠１１ａ、１１ｂの間には、付勢部材である圧縮バネ（圧縮弾性部材）のバネ部材１２ａ及び引張バネ（引張弾性部材）のバネ部材１２ｂが備えられる。
【００１５】
バネ部材１２ａ、１２ｂは、接続するレンズ支持枠１１ａ、１１ｂのそれぞれの位置において、レンズ支持枠１１ａ、１１ｂを互いに異なる方向に付勢する。バネ部材１２ａ、１２ｂは、光軸を中心とした反対の位置であることが望ましいが、必ずしもその配置に限定されることはない。本実施例では、光軸回りの周方向においては、バネ部材１２ａはカムピン９ａ（９ｂ）（第１のカムピンと記載する）が配置されている位置に配置される。また、バネ部材１２ｂは図２の断面にはない残りの２つのカムピン９ａ（９ｂ）（第２，３のカムピンと記載する）の間に配置されている。そのため、第１のカムピン９ａは、図３のカム溝８ａのＡ１側の側壁に付勢され、第１のカムピン９ｂは、図３のカム溝８ｂのＡ２側の側壁に付勢される。また、第２、３のカムピン９ａは、カム溝８ａのＡ２側の側壁に付勢され、第２、３のカムピン９ｂは、カム溝８ｂのＡ１側の側壁に付勢される。すなわち、レンズ支持枠（光学群）が光軸方向においてどの位置にあっても、付勢手段であるバネ部材１２ａ、１２ｂによってレンズ支持枠を光軸回りの周方向の異なる位置で、光軸方向において互いに反対方向に付勢している。この構成により、それぞれの光学移動群６ａ、６ｂのカムピン９ａ、９ｂと係合するカム溝８ａ、８ｂとの遊びに起因するレンズ支持枠の倒れの変動は抑制され、一定の方向への傾きが維持される。
【００１６】
このように、カム溝を介して移動するレンズ支持枠の全てのカムピンを、それぞれがカム溝の一定の方向の側壁に付勢し続けられことにより、レンズ支持枠の移動方向に関わらず、レンズ支持枠の傾き方向が変化することなく、安定した姿勢を維持することができる。これによって、レンズの姿勢変化が光学性能に大きな影響を与える可動レンズの姿勢を、光軸方向における位置に関わらず安定させることができ、光学性能のばらつき、悪化を防ぐことができる。さらに、１つのレンズ支持枠の複数のカムピンがカム溝の側壁に付勢される方向は、カムピン個々に対しては一定の方向であるが、その方向は全てのカムピンにおいて同一ではない。この構成とすることにより、レンズ支持枠が駆動操作なしでバネ部材の弾性力だけで光軸方向に移動してしまうことを防いでいる。また、それにより、レンズ支持枠の駆動方向に依存して駆動力が変化することのない安定した駆動と、省電力を実現している。
【００１７】
バネ部材１２ａ、１２ｂによってレンズ保持枠に付勢力（Ｐ１、Ｐ２）を与える周方向における位置は、光学移動群６ａ、６ｂの倒れやすい方向を考慮して光軸Ａ周りの周方向の位置に配設する。より詳しくは、バネ部材１２ａ、１２ｂによってレンズ保持枠に付勢力を与える周方向における位置は、レンズ装置の使用される姿勢を前提として、レンズ支持枠によって駆動される部分の重心とレンズ支持枠の支持面と重力方向とを考慮して決定することが望ましい。光軸方向を水平とした状態で使用される場合が多いレンズ装置の場合である本実施例については以下の通りである。レンズ支持枠１１ａは、移動部全体の重心Ｇ１と、カムピン９ａ中心を通る光軸に垂直な平面Ｌ１と、光軸（レンズ支持枠の移動方向）が重力方向に垂直に配置された状態における重力方向との関係より、図２中に示したようなモーメントＭＧ１が発生する。同様に、レンズ支持枠１１ｂについては、移動部全体の重心Ｇ２と、カムピン９ｂ中心を通る光軸に垂直な平面Ｌ２と、光軸が重力方向に垂直に配置された状態における重力方向との関係より、図２中に示したようなモーメントＭＧ２が発生する。したがって、バネ部材１２ａ、１２ｂによってレンズ支持枠１１ａ、１１ｂに与えるモーメントＭ１、Ｍ２が、重力によるモーメントＭＧ１、ＭＧ２と同方向となるように、レンズ支持枠１１ａ、１１ｂを付勢する方向を決めることが望ましい。
【００１８】
なお、本発明のレンズ装置において、必ずしもこの考え方によりバネ部材による付勢力の方向を決定する必要はない。本発明の主旨は、１つのレンズ支持枠の複数のカムピンがカム溝の側壁に付勢される方向が、個々のカムピンに対してはレンズ支持枠の位置に関わらず一定の方向であるが、その方向は全てのカムピンにおいて同一ではない構成とすることである。したがって、可動レンズを含む被駆動部の重力に起因するモーメントの方向が互いに異なる２つの可動レンズのレンズ支持枠をバネ部材で付勢する場合には、その異なる方向と同じ方向のモーメントを発生させる力を与えるように構成することが望ましい。バネ部材による付勢力によるモーメントと重力によるモーメントとが相殺しないため、バネ部材に必要な弾性力を小さくできるので、バネ部材の巻数、長さ等を抑制し、使用するバネ部材の小型化ができ、省スペース化を図ることが可能となる。しかし、重力によるモーメントとバネ部材によるモーメントをなからずしも一致させる必要はなく、レンズ支持枠を一定の方向に倒した姿勢を維持できる力をバネ部材によって与えることができればよい。
【００１９】
本実施例では、光学移動群６ａ、６ｂの間にバネ部材１２ａ、１２ｂを配設した。しかし、本発明はこれに限定されることはない。１つの光学移動群と固定光学群（固定部）との間にバネ部材１２ａ、１２ｂを配設しても、１つの光学移動群の傾きに対して安定させることができ、本発明の効果を享受することができる。
【００２０】
また、本実施例で倒した光学移動群６ａ、６ｂによるレンズ装置の光学性能への影響を調整するために、不図示の光学調整機構を設けても構わない。例えば、レンズ支持枠に対するレンズの、光軸方向の位置や、光軸に垂直な面内での位置や、傾き、などを調整できるようにするとよい。光学調整機構を設けることで、光学移動群６ａ、６ｂが倒れても光学調整を容易に行うことが可能となる。
【実施例２】
【００２１】
図４を参照しながら、第２の実施例のレンズ装置について説明する。
【００２２】
本実施例のレンズ装置もズームレンズの全体としては実施例１で図１を参照しながら説明した内容と同様であるので、説明を省略する。また、以下の説明において、実施例１と重複する構成要素については同符号を付し、説明を省略する。
【００２３】
また、第１の実施例では、２つの光学移動群６ａ、６ｂに対してバネ部材による付勢力を与える構成としたが、３つ以上の光学移動群６ａ、６ｂ、６ｃを付勢する構成とすることもできる。本実施例では、３つの光学移動群６ａ、６ｂ、６ｃを配設した際の構成、及び効果に関して説明する。ここで、光学移動群６ｃは、レンズ群１０ｃと該レンズ群１０ｃを支持するレンズ支持枠１１ｃとからなり、レンズ鏡胴７に対して移動筒が回転することによりレンズ群１０ｃの光軸Ａ方向の位置決めが行われる。光学移動群６ｃの光軸Ａ方向のカムピン９ｃ中心を通る平面Ｌ３と光軸Ａとの交点を倒れ中心Ｏ３とする。レンズ支持枠１１ａ、１１ｂの間には、圧縮バネ（圧縮弾性部材）のバネ部材１２ａと引張バネ（引張弾性部材）のバネ部材１２ｂが備えられ、レンズ支持枠１１ｂ、１１ｃの間には、引張りバネのバネ部材１２ｃと圧縮バネのバネ部材１２ｄが備えられる。バネ部材１２ａ、１２ｂ、１２ｃ、１２ｄは、光学移動群６ａ、６ｂ、６ｃの倒れやすい方向に光軸Ａを中心とする周方向の一部に配設される。すなわち、レンズ支持枠１１ａ、１１ｂ、１１ｃそれぞれの重心Ｇ１、Ｇ２、Ｇ３と、カムピン中心を通る光軸に垂直な平面Ｌ１、Ｌ２、Ｌ３との関係により発生するモーメントＭＧ１、ＭＧ２、ＭＧ３と同方向のモーメントが発生するようにバネ部材を配置する。すなわち、重力によりレンズ保持枠が回転しようとする方向と同じ方向のモーメントを発生させるようにバネ部材を配置することが好ましい。これにより、光学移動群６ａ、６ｂ、６ｃはバネ部材１２ａ、１２ｂ、１２ｃ、１２ｄから付勢力Ｐ１、Ｐ２、Ｐ３、Ｐ４を受ける。このとき、倒れ中心Ｏ１に対してバネ部材１２ａ、１２ｂによりレンズ支持枠１１ａが受けるモーメントはＭ１であり、同様にして倒れ中心Ｏ２、Ｏ３に対してはモーメントＭ２、Ｍ３が発生する。これにより、それぞれの光学移動群６ａ、６ｂ、６ｃは倒れ中心Ｏ１，Ｏ２、Ｏ3に対し、それぞれの発生モーメントＭ１、Ｍ２、Ｍ３方向に倒れが生じる。倒れ量はそれぞれの光学移動群６ａ、６ｂ、６ｃのカムピン９ａ、９ｂ、９ｃと係合するカム溝８ａ、８ｂ、８ｃとの遊びに対応する量となる。このとき、バネ部材１２ａ、１２ｂが接続しているレンズ支持枠１１ａ、１１ｂのモーメントＭ１とＭ２の発生方向は互いに逆の関係となる。同様にバネ部材１２ｃ、１２ｄが接続しているレンズ支持枠１１ｂ、１１ｃのモーメントＭ２、Ｍ３の発生方向も互いに逆の関係となる。レンズ支持枠１１ｂには、バネ部材１２ａと１２ｃによって同じ方向の力が加えられ、バネ部材１２ｂと１２ｄによって同じ方向の力が加えられている。
【００２４】
このように、３つ以上の光学移動群に対しても本発明を適用可能であり、レンズの移動に関わらず、一定の方向に倒れた状態を維持することが可能となる。これにより、倒れに対して光学性能が敏感に影響を受ける可動光学部材であっても、レンズ装置の光学性能のばらつきを抑制し安定した光学性能を維持することができる。
【実施例３】
【００２５】
図５を参照しながら、第３の実施例のレンズ装置について説明する。
【００２６】
本実施例のレンズ装置もズームレンズの全体としては実施例１で図１を参照しながら説明した内容と同様であるので、説明を省略する。
図５は本発明の第３の実施例におけるレンズ倒れ維持構造を有するレンズ装置の詳細図である。
【００２７】
本実施例は、実施例１のレンズ装置と類似するが、バネ部材によって倒れ方向を維持させるレンズ保持枠が隣接せず、その間に可動光学部材がある場合のレンズ装置である。
以下、実施例１と異なる部分についてのみ説明を行い、その他の同一部分については同一符号を付し、説明を省略する。
【００２８】
カム機構部５に設けたレンズ倒れ維持構造の構成について、図５を用いて以下に説明する。レンズ支持枠１１ａ、１１ｃの間には、付勢部材である圧縮バネのバネ部材１２ｅ、引張バネのバネ部材１２ｆが備えられる。レンズ支持枠１１ｂには、バネ部材１２ｅ，１２ｆが干渉しないように、光軸方向に貫通している貫通部である切り欠き１８が設けられ、バネ部材１２ｅ、１２ｆは切り欠き１８を介してレンズ支持枠１１ａ、１１ｃと接続している。
【００２９】
バネ部材１２ｅ、１２ｆは、接続するレンズ支持枠１１ａ、１１ｃのそれぞれの位置において、レンズ支持枠１１ａ、１１ｃを互いに異なる方向に付勢する。バネ部材１２ｅ、１２ｆは、光軸を中心とした周方向において反対の位置であることが望ましいが、必ずしもその配置に限定されることはない。本実施例では、光軸回りの周方向においては、バネ部材１２ｅはカムピン９ａ（９ｃ）（第１のカムピンと記載する）が配置されている位置に配置される。また、バネ部材１２ｆは図５の断面にはない残りの２つのカムピン９ａ（９ｃ）（第２、３のカムピンと記載する）の間に配置されている。そのため、第１のカムピン９ａは、図３のカム溝８ａのＡ１側の側壁に付勢され、第１のカムピン９ｃは、図３のカム溝８ｃのＡ２側の側壁に付勢される。また、第２、３のカムピン９ａは、カム溝８ａのＡ２側の側壁に付勢され、第２、３のカムピン９ｃは、カム溝８ｃのＡ１側の側壁に付勢される。この構成により、それぞれの光学移動群６ａ、６ｃのカムピン９ａ、９ｃと係合するカム溝８ａ、８ｃとの遊びに起因するレンズ支持枠の倒れの変動は抑制され、一定の方向への傾きで維持される。
【００３０】
このように、カム溝を介して移動するレンズ支持枠の全てのカムピンを、それぞれがカム溝の一定の方向の側壁に付勢し続けられことにより、レンズ支持枠の移動方向に関わらず、レンズ支持枠の傾き方向が変化することなく、安定した姿勢を維持することができる。これによって、レンズの姿勢変化が光学性能に大きな影響を与える可動レンズの姿勢を光軸方向における位置に関わらず、安定させることができ、光学性能のばらつき、悪化を防ぐことができる。さらに、１つのレンズ支持枠の複数のカムピンがカム溝の側壁に付勢される方向は、個々のカムピンに対しては一定の方向であるが、その方向は全てのカムピンにおいて同一ではない構成とする。この構成により、レンズ支持枠が、駆動操作なしでバネ部材の弾性力だけで光軸方向に移動してしまうことを防いでいる。また、それにより、レンズ支持枠の駆動方向に依存して駆動力が変化することのない安定した駆動と、省電力を実現している。
【００３１】
バネ部材１２ｅ、１２ｆによってレンズ保持枠に付勢力（Ｐ５、Ｐ６）を与える周方向における位置は、光学移動群６ａ、６ｃの倒れやすい方向を考慮して光軸Ａ周りの周方向の位置に配設する。より詳しくは、バネ部材１２ｅ、１２ｆによってレンズ保持枠に付勢力を与える周方向における位置は、レンズ装置の使用される姿勢を前提として、レンズ支持枠によって駆動される部分の重心とレンズ支持枠の支持面と重力方向とを考慮して決定することが望ましい。光軸方向を水平とした状態で使用される場合が多いレンズ装置の場合である本実施例については以下の通りである。レンズ支持枠１１ａは、移動部全体の重心Ｇ１と、カムピン９ａ中心を通る光軸に垂直な平面Ｌ１と、光軸（レンズ支持枠の移動方向）が重力方向に垂直に配置された状態における重力方向との関係より、図５中に示したようなモーメントＭＧ１が発生する。同様に、レンズ支持枠１１ｃについては、移動部全体の重心Ｇ３と、カムピン９ｃ中心を通る光軸に垂直な平面Ｌ３と、光軸が重力方向に垂直に配置された状態における重力方向との関係より、図５中に示したようなモーメントＭＧ３が発生する。したがって、バネ部材１２ｅ、１２ｆによってレンズ支持枠１１ａ、１１ｃに与えるモーメントＭ１、Ｍ３が、それぞれ上記の重力によるモーメントＭＧ１、ＭＧ３と同方向となるように、レンズ支持枠１１ａ、１１ｃを付勢する方向を決めることが望ましい。
【００３２】
なお、本発明のレンズ装置において、必ずしもこの考え方によりバネ部材による付勢力の方向を決定する必要はない。本発明の主旨は、１つのレンズ支持枠の複数のカムピンがカム溝の側壁に付勢される方向が、個々のカムピンに対してはレンズ支持枠の位置に関わらず一定の方向であるが、その方向は全てのカムピンにおいて同一ではない構成とすることである。したがって、可動レンズを含む被駆動部の重力に起因するモーメントの方向が互いに異なる２つの可動レンズのレンズ支持枠をバネ部材で付勢する場合には、その異なる方向と同じ方向のモーメントを発生させる力を与えるように構成することが望ましい。それは、バネ部材による付勢力によるモーメントと重力によるモーメントとが相殺しないため、バネ部材に必要な弾性力を小さくできるので、バネ部材の巻数、長さ等を抑制し、使用するバネ部材の小型化ができ、省スペース化を図ることが可能となる。しかし、重力によるモーメントとバネ部材によるモーメントをなからずしも一致させる必要はなく、レンズ支持枠を一定の方向に倒した姿勢を維持できる力をバネ部材によって与えることができればよい。
【符号の説明】
【００３３】
１  レンズ装置
５  カム機構部（駆動機構）
６ａ、６ｂ、６ｃ  光学移動群（光学群）
７ａ  直進溝（駆動機構）
８  移動筒（駆動機構）
８ａ、８ｂ、８ｃ  カム溝（駆動機構）９ａ、９ｂ、９ｃ  カムピン（駆動機構）
１２ａ、１２ｂ、１２ｃ、１２ｄ、１２ｅ，１２ｆ  バネ部材（付勢手段）
【図１】
0006422422.tif 000002
【図２】
0006422422.tif 000003
【図３】
0006422422.tif 000004
【図４】
0006422422.tif 000005
【図５】
0006422422.tif 000006